(57)【要約】【課題】  波長可変フィルタを用いずにパワースプリッタ型ＷＤＭ−ＰＯＮに対応するカラーレスＯＮＵを実現する。【解決手段】  局側の複数のＯＳＵと、複数のユーザ側のＯＮＵがパワースプリッタおよび光ファイバ伝送路を介して接続された光通信システムにおいて、各ＯＳＵは少なくとも１つのサブキャリア周波数が割り当てられ、そのサブキャリア周波数のＲＦ搬送波を送信信号で変調したＲＦ変調信号を生成するＲＦ変調手段と、ＯＳＵごとに異なる発振波長を有し、ＲＦ変調信号で変調した変調光を下り信号として送信する光源とを含む送信器を備え、各ＯＳＵから送信される各波長の下り信号を波長多重して送出する波長合分波器を備え、各ＯＮＵは、各ＯＳＵからそれぞれ送信された下り信号を電気信号に変換する受光器と、ＯＮＵごとのサブキャリア周波数に基づいて電気信号から同じサブキャリア周波数が割り当てられたＯＳＵの送信信号を復調するＲＦ復調器とを含む受信器を備える。【選択図】        図１
2010114622.tif 000002
【特許請求の範囲】
【請求項１】
局側に配置される複数の光加入者線終端装置（以下「ＯＳＵ」という）と、複数のユーザ側にそれぞれ配置される光ネットワーク終端装置（以下「ＯＮＵ」という）がパワースプリッタおよび光ファイバ伝送路を介して接続された光通信システムにおいて、
前記各ＯＳＵは、ＯＳＵごとに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、ＯＳＵごとに異なる発振波長を有し、前記ＲＦ変調信号で発振光を変調した変調光を下り信号として送信する光源とを含む送信器を備え、
前記各ＯＳＵから送信される各波長の下り信号を波長多重し、前記パワースプリッタに接続される光ファイバ伝送路に送出する波長合分波器を備え、
前記各ＯＮＵは、前記各ＯＳＵからそれぞれ送信され、前記波長合分波器で波長多重され、さらに前記パワースプリッタで分配された下り信号を受光して電気信号に変換する受光器と、ＯＮＵごとに割り当てられたサブキャリア周波数に基づいて前記電気信号から同じサブキャリア周波数が割り当てられたＯＳＵの送信信号を復調するＲＦ復調器とを含む受信器を備えた
ことを特徴とする光通信システム。
【請求項２】
請求項１に記載の光通信システムにおいて、
前記ＯＳＵの光源に代えて、外部光源からＯＳＵごとに異なる波長のＣＷ光を入力し、前記ＲＦ変調信号でＣＷ光を変調した変調光を下り信号として送信する光変調器を備えた
ことを特徴とする光通信システム。
【請求項３】
請求項１に記載の光通信システムにおいて、
前記ＯＳＵの光源に代えて、外部光源からＯＳＵごとに異なる波長のＣＷ光を入力し、前記ＲＦ変調信号でＣＷ光を変調し、かつ片側の変調スペクトルのみを有する変調光を下り信号として送信する光変調器を備えた
ことを特徴とする光通信システム。
【請求項４】
請求項１に記載の光通信システムのＯＳＵの送信器において、
ＯＳＵごとに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、
ＯＳＵごとに異なる発振波長を有し、前記ＲＦ変調信号で発振光を変調した変調光を下り信号として送信する光源と
を備えたことを特徴とするＯＳＵの送信器。
【請求項５】
請求項４に記載のＯＳＵの送信器において、
前記光源に代えて、外部光源からＯＳＵごとに異なる波長のＣＷ光を入力し、前記ＲＦ変調信号でＣＷ光を変調した変調光を下り信号として送信する光変調器を備えた
ことを特徴とするＯＳＵの送信器。
【請求項６】
請求項４に記載のＯＳＵの送信器において、
前記光源に代えて、外部光源からＯＳＵごとに異なる波長のＣＷ光を入力し、前記ＲＦ変調信号でＣＷ光を変調し、かつ片側の変調スペクトルのみを有する変調光を下り信号として送信する光変調器を備えた
ことを特徴とするＯＳＵの送信器。
【請求項７】
請求項１に記載の光通信システムのＯＮＵの受信器において、
前記各ＯＳＵからそれぞれ送信され、前記波長合分波器で波長多重され、さらに前記パワースプリッタで分配された下り信号を受光して電気信号に変換する受光器と、
ＯＮＵごとに割り当てられたサブキャリア周波数に基づいて前記電気信号から同じサブキャリア周波数が割り当てられたＯＳＵの送信信号を復調するＲＦ復調器と
を備えたことを特徴とするＯＮＵの受信器。
【請求項８】
請求項１に記載の光通信システムのＯＳＵの下り信号送信方法において、
ＯＳＵごとに異なる少なくとも１つのサブキャリア周波数が割り当てられたＲＦ変調手段が、それぞれ割り当てられたサブキャリア周波数のＲＦ搬送波を送信信号で変調したＲＦ変調信号を生成し、
ＯＳＵごとに異なる発振波長を有する光源の発振光を、前記ＲＦ変調信号で変調した変調光を下り信号として送信する
ことを特徴とするＯＳＵの下り信号送信方法。
【請求項９】
請求項８に記載のＯＳＵの下り信号送信方法において、
前記光源に代えて、外部光源からＯＳＵごとに異なる波長のＣＷ光を入力する光変調器を用い、前記ＲＦ変調信号でＣＷ光を変調した変調光を下り信号として送信する
ことを特徴とするＯＳＵの下り信号送信方法。
【請求項１０】
請求項８に記載のＯＳＵの下り信号送信方法において、
前記光源に代えて、外部光源からＯＳＵごとに異なる波長のＣＷ光を入力する光変調器用い、前記ＲＦ変調信号でＣＷ光を変調し、かつ片側の変調スペクトルのみを有する変調光を下り信号として送信する
ことを特徴とするＯＳＵの下り信号送信方法。
【発明の詳細な説明】
【技術分野】
【０００１】
本発明は、光アクセスシステムの高速化に適する光通信システムに関する。また、本発明は、光通信システムにおけるＯＳＵの送信器、ＯＮＵの受信器、およびＯＳＵの下り信号送信方法に関する。
【背景技術】
【０００２】
光アクセスシステムの高速化は著しく、この５年程度の間に 100倍の高速・広帯域化が進み、ギガビットクラスのブロードバンドサービスがＧＥ−ＰＯＮ（Gigabit Ethernet( 登録商標）−Passive Optical Network)システムの商用導入で経済的に提供されている。さらなる高速・広帯域化に向けた次世代ＰＯＮ技術のアプローチとしては、主に、これまでの延長技術である時間軸上でユーザ多重を行う時間多重（ＴＤＭ）方式と、波長軸上でユーザ多重を行う波長多重（ＷＤＭ）方式があり、後者をＷＤＭ−ＰＯＮと呼んでいる。
【０００３】
図１は、ＷＤＭ−ＰＯＮシステムの構成例を示す（非特許文献１）。
図において、局側に配置されるＯＬＴ(Optical Line Terminal：光加入者線終端盤）４０と、ユーザ側に配置されるＯＮＵ（Optical Network Unit：光ネットワーク終端装置）２０−１〜２０−ｎ（ｎは自然数）とが、光ファイバ伝送路３１、波長スプリッタ３３またはパワースプリッタ３４、ｎ本の光ファイバ伝送路３２を介して１対ｎで接続される。なお、ＯＬＴ４０には、各ＯＮＵに対応する波長が割り当てられたＯＳＵ(Optical Subscriber Unit：光加入者線終端装置) および波長合分波器が備えられるが、ここでは詳細は省略する。
【０００４】
図１(a) の波長スプリッタ型ＷＤＭ−ＰＯＮでは、ＯＮＵ２０−１〜２０−ｎにそれぞれ対応する波長λd1〜λdnの下り信号は、波長スプリッタ３３で波長分波して各ＯＮＵに伝送される。また、ＯＮＵ２０−１〜２０−ｎからそれぞれ出力される波長λu1〜λunの上り信号は、波長スプリッタ３３で波長合波してＯＬＴ４０に伝送される。
【０００５】
図１(b) のパワースプリッタ型ＷＤＭ−ＰＯＮでは、ＯＮＵ２０−１〜２０−ｎにそれぞれ対応する波長λd1〜λdnの下り信号は、パワースプリッタ３４でｎ分岐して各ＯＮＵに伝送される。各ＯＮＵは、それぞれ対応する波長λd1〜λdnの下り信号を選択して受信する。ＯＮＵ２０−１〜２０−ｎからそれぞれ出力される波長λu1〜λunの上り信号は、パワースプリッタ３４で合流してＯＬＴ４０に伝送される。
【０００６】
ＷＤＭ−ＰＯＮの物理的なトポロジーはパッシブダブルスターで、伝送路である光ファイバを複数のユーザで共用しているが、ユーザごとに異なる波長を割り当てているため、論理的なトポロジーはシングルスターとなっている。このため、伝送路をユーザで共用しながら、他のユーザに影響を与えることなく、ユーザごとに独立にサービスを設定・変更することができる。
【非特許文献１】K.Iwatsuki, J.Kani, H.Suzuki, and M.Fujiwara,"Access and Metro Networks based on WDM Technologies", IEEE J.Lightwave Technol.,Vol.22, No.11, pp.2623-2630,(2004)
【発明の開示】
【発明が解決しようとする課題】
【０００７】
ＷＤＭ−ＰＯＮでは、各ＯＮＵに波長が固定的に割り当てられるため、ユーザごとに送信波長が異なるＯＮＵを用意しなければならず、ユーザの利便性や保守運用性に欠けることになる。このため、波長を意識することなく使いやすいＯＮＵを実現するには、ＯＮＵを単一品種化し、局側（ＯＬＴ側）からＯＮＵの送信波長を設定できるようにする必要があり、このような機能を実現する技術をＯＮＵのカラーレス技術と呼んでいる。
【０００８】
カラーレス技術は、自発光方式と搬送波供給方式に大別できる。自発光方式は、図２(a) に示すように、ＯＮＵ自身に波長選択性をもつ光源が搭載されており、開通時に局側から各ＯＮＵの送信波長を設定する。ここでは、ＯＮＵ２０−１〜２０−ｎの送信器がそれぞれ波長λu1〜λunの上り信号を送信する。
【０００９】
搬送波供給方式は、図２(b) に示すように、ＯＮＵ２０−１〜２０−ｎの送信器に光変調器が搭載されており、ＯＬＴ４０の光源から送信された波長λu1〜λunの連続光を波長スプリッタ３３で波長分波し、各ＯＮＵに供給される各波長の連続光を変調して上り信号を生成している。例えば、ＯＮＵ２０−１に波長λd1の下り信号と波長λu1の連続光が入力し、波長λu1の連続光を変調して上り信号として折り返す構成を示す。
【００１０】
図３は、既存ＰＯＮ（ＧＥ−ＰＯＮ）とＷＤＭ−ＰＯＮが共存するシステム構成例を示す。ここでは、既存ＰＯＮの光スプリッタはパワースプリッタであるため、共存するＷＤＭ−ＰＯＮは図１(b) に示すパワースプリッタ３４を用いた構成となる。
【００１１】
図において、ＧＥ−ＰＯＮに対応するＯＬＴ（ＧＥ−ＯＬＴ）とＯＮＵ（ＧＥ−ＯＮＵ）、ＷＤＭ−ＰＯＮで波長λ1 を占有するＯＬＴ（λ1 −ＯＬＴ）とＯＮＵ（λ1 −ＯＮＵ）、ＷＤＭ−ＰＯＮで波長λ2 を占有するＯＬＴ（λ2 −ＯＬＴ）とＯＮＵ（λ2 −ＯＮＵ）は、波長合分波器３５、光ファイバ伝送路３１、パワースプリッタ３４、光ファイバ伝送路３２を介して接続される。ＧＥ−ＰＯＮは、１波長を複数のＯＮＵで共用し、複数のＯＮＵで帯域を時間的にシェアする帯域共有サービスである。ＷＤＭ−ＰＯＮは、ＧＥ−ＰＯＮとは別の波長帯でＯＮＵごとに１つの波長λ１，λ２を割り当て、各波長ごとに伝送速度の設定が可能な帯域占有サービスである。
【００１２】
図３に示すパワースプリッタ型ＷＤＭ−ＰＯＮでは、波長多重された下り信号がすべてのＯＮＵで受信されるため、各ＯＮＵの受信器に波長可変フィルタを配置し、各ＯＮＵの受信波長を選択する必要がある。しかし、応答性が高く、広帯域で選択波長を可変できる安価な波長可変フィルタを実現することは困難であり、パワースプリッタ型ＷＤＭ−ＰＯＮに対応するカラーレスＯＮＵを実現する上で課題になっていた。
【００１３】
本発明は、波長可変フィルタを用いずにパワースプリッタ型ＷＤＭ−ＰＯＮに対応するカラーレスＯＮＵを実現できる光通信システム、ＯＳＵの送信器、ＯＮＵの受信器、およびＯＳＵの下り信号送信方法を提供することを目的とする。
【課題を解決するための手段】
【００１４】
第１の発明は、局側に配置される複数のＯＳＵと、複数のユーザ側にそれぞれ配置されるＯＮＵがパワースプリッタおよび光ファイバ伝送路を介して接続された光通信システムにおいて、各ＯＳＵは、ＯＳＵごとに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、ＯＳＵごとに異なる発振波長を有し、ＲＦ変調信号で発振光を変調した変調光を下り信号として送信する光源とを含む送信器を備え、各ＯＳＵから送信される各波長の下り信号を波長多重し、パワースプリッタに接続される光ファイバ伝送路に送出する波長合分波器を備え、各ＯＮＵは、各ＯＳＵからそれぞれ送信され、波長合分波器で波長多重され、さらにパワースプリッタで分配された下り信号を受光して電気信号に変換する受光器と、ＯＮＵごとに割り当てられたサブキャリア周波数に基づいて電気信号から同じサブキャリア周波数が割り当てられたＯＳＵの送信信号を復調するＲＦ復調器とを含む受信器を備える。
【００１５】
また、ＯＳＵの光源に代えて、外部光源からＯＳＵごとに異なる波長のＣＷ光を入力し、ＲＦ変調信号でＣＷ光を変調した変調光を下り信号として送信する光変調器を備えてもよい。また、ＯＳＵの光源に代えて、外部光源からＯＳＵごとに異なる波長のＣＷ光を入力し、ＲＦ変調信号でＣＷ光を変調し、かつ片側の変調スペクトルのみを有する変調光を下り信号として送信する光変調器を備えてもよい。
【００１６】
第２の発明は、第１の発明の光通信システムのＯＳＵの送信器において、ＯＳＵごとに異なる少なくとも１つのサブキャリア周波数が割り当てられ、それぞれ割り当てられたサブキャリア周波数のＲＦ搬送波を送信信号で変調したＲＦ変調信号を生成するＲＦ変調手段と、ＯＳＵごとに異なる発振波長を有し、ＲＦ変調信号で発振光を変調した変調光を下り信号として送信する光源とを備える。
【００１７】
また、光源に代えて、外部光源からＯＳＵごとに異なる波長のＣＷ光を入力し、ＲＦ変調信号でＣＷ光を変調した変調光を下り信号として送信する光変調器を備えてもよい。また、光源に代えて、外部光源からＯＳＵごとに異なる波長のＣＷ光を入力し、ＲＦ変調信号でＣＷ光を変調し、かつ片側の変調スペクトルのみを有する変調光を下り信号として送信する光変調器を備えてもよい。
【００１８】
第３の発明は、第１の発明の光通信システムのＯＮＵの受信器において、各ＯＳＵからそれぞれ送信され、波長合分波器で波長多重され、さらにパワースプリッタで分配された下り信号を受光して電気信号に変換する受光器と、ＯＮＵごとに割り当てられたサブキャリア周波数に基づいて電気信号から同じサブキャリア周波数が割り当てられたＯＳＵの送信信号を復調するＲＦ復調器とを備える。
【００１９】
第４の発明は、第１の発明の光通信システムのＯＳＵの下り信号送信方法において、ＯＳＵごとに異なる少なくとも１つのサブキャリア周波数が割り当てられたＲＦ変調手段が、それぞれ割り当てられたサブキャリア周波数のＲＦ搬送波を送信信号で変調したＲＦ変調信号を生成し、ＯＳＵごとに異なる発振波長を有する光源の発振光を、ＲＦ変調信号で変調した変調光を下り信号として送信する。
【００２０】
また、光源に代えて、外部光源からＯＳＵごとに異なる波長のＣＷ光を入力する光変調器を用い、ＲＦ変調信号でＣＷ光を変調した変調光を下り信号として送信してもよい。また、外部光源からＯＳＵごとに異なる波長のＣＷ光を入力する光変調器を用い、ＲＦ変調信号でＣＷ光を変調し、かつ片側の変調スペクトルのみを有する変調光を下り信号として送信してもよい。
【発明の効果】
【００２１】
本発明は、互いに異なるサブキャリア周波数を利用する各ＯＳＵにおいて、サブキャリア周波数のＲＦ搬送波を送信信号で変調したＲＦ変調信号を生成し、直接変調により発振光または外部変調によりＣＷ光をＲＦ変調信号で変調し、下り信号を生成する。下り信号の搬送波波長は各ＯＳＵごとに異なり、波長合分波器で波長多重することにより、波長ごとに異なるサブキャリア周波数を割り当てたサブキャリア多重信号となり、パワースプリッタを介して各ＯＮＵに入力される。ＯＮＵでは、このサブキャリア多重信号を電気信号に変換し、各ＯＳＵに割り当てられたサブキャリア周波数に基づいて電気信号から各ＯＳＵの送信信号を復調する。
【００２２】
このように、ＲＦ搬送波のサブキャリア周波数を各ＯＳＵと各ＯＮＵのＲＦ復調器で対応させることにより、ＯＳＵとＯＮＵが１対１に対応し、波長可変フィルタを用いずにパワースプリッタ型ＷＤＭ−ＰＯＮに対応するカラーレスＯＮＵを実現することができる。なお、ＯＮＵに電子回路からなるＲＦ復調器をもたせた方が、ＯＮＵに光モジュールである波長可変フィルタをもたせるよりも圧倒的に安価なＯＮＵを実現することができる。
【発明を実施するための最良の形態】
【００２３】
（第１の実施形態）
図４は、本発明の光通信システムの第１の実施形態を示す。
図において、局側に配置されるＯＳＵ１０−１〜１０−ｎおよび波長合分波器１１と、複数のユーザ側にそれぞれ配置されるＯＮＵ２０−１〜２０−ｎは、光ファイバ伝送路３１，３２およびパワースプリッタ３４を介して１対ｎに接続される。ここでは、下り信号を送信するＯＳＵ１０−ｎの送信器および下り信号を受信するＯＮＵ２０−ｎの受信器の構成例を示し、上り信号の伝送系であるＯＮＵ２０−１〜２０−ｎの送信器およびＯＳＵ１０−１〜１０−ｎの受信器の構成は省略している。
【００２４】
ＯＳＵ１０−ｎの送信器は、乗算器１２でサブキャリア周波数ｆn のＲＦ搬送波にベースバンド送信信号を重畳し、フィルタ１３で乗算器１２から出力されるＲＦ変調信号の片側帯波およびＲＦ搬送波成分を切り出し、増幅器１４およびバイアスＴ回路１５を介して半導体レーザ（ＬＤ）１６に入力する構成である。ＯＳＵ１０−ｎのＬＤ１６の発振波長はλn に設定され、サブキャリア周波数ｆn のＲＦ変調信号で変調された波長λn の変調光を出力する。なお、フィルタ１３は省いてもよい。
【００２５】
ここで、ＯＳＵ１０−１〜１０−ｎの各送信器でベースバンド送信信号が重畳されるＲＦ搬送波は、互いに異なるサブキャリア周波数ｆ1 〜ｆn が用いられる。また、各送信器のＬＤ１６も互いに異なる発振波長λ1 〜λn が用いられる。ただし、サブキャリア周波数ｆ1 〜ｆn と発振波長λ1 〜λn の組合せは任意である。したがって、波長合分波器１１で各ＯＳＵからの下り信号（変調光）が合波したときに、波長λ1 〜λn の変調光に対してそれぞれサブキャリア周波数ｆ1 〜ｆn の変調成分がサブキャリア多重された状態になる。そして、このサブキャリア多重された下り信号が、パワースプリッタ３４を介してそのまま各ＯＮＵ２０−１〜２０−ｎまで伝送される。
【００２６】
ＯＮＵ２０−ｎの受信器は、受信する変調光を受光器２１で電気信号に変換し、増幅器２２で増幅し、増幅した電気信号をＯＮＵ対応の中心周波数ｆn のＲＦ復調器２３に入力する。中心周波数ｆn のＲＦ復調器２３は、波長λ1 〜λn の変調光に対応する電気信号からサブキャリア周波数ｆn 成分を復調することにより、ＯＳＵ１０−ｎから送信されたベースバンド送信信号を抽出する。
【００２７】
このように、ＲＦ搬送波のサブキャリア周波数ｆ1 〜ｆn をＯＳＵ１０−１〜１０−ｎとＯＮＵ２０−１〜２０−ｎのＲＦ復調器２３で対応させることにより、ＯＳＵとＯＮＵが１対１に対応し、波長可変フィルタを用いずにパワースプリッタ型ＷＤＭ−ＰＯＮおよび搬送波供給方式に対応するカラーレスＯＮＵを実現することができる。
【００２８】
（第２の実施形態）
図５は、本発明の光通信システムの第２の実施形態を示す。
第１の実施形態は、各ＯＳＵにおいてＬＤ１６をＲＦ変調信号で直接変調する構成であるが、本実施形態はＬＤ１６に代えて光変調器１７を用い、外部光源から入力するＣＷ光を外部変調する構成を特徴とする。その他の構成は第１の実施形態と同様である。
【００２９】
（第３の実施形態）
図６は、本発明の光通信システムの第３の実施形態を示す。
第２の実施形態は、各ＯＳＵにおいて光変調器１７を用い、外部光源から入力するＣＷ光を外部変調する構成であるが、本実施形態は光変調器１７に代えてＳＳＢ(Single Sid Band) 光変調器１８を用い、片側の変調スペクトル成分のみの変調光を下り信号として送信する構成を特徴とする。その他の構成は第１の実施形態および第２の実施形態と同様である。
【００３０】
なお、通常の光変調器では、ＡＭ変調で生じる両側帯波のように光キャリア（ＣＷ光）の両側に変調スペクトルが生じるが、ＳＳＢ光変調器１８では片側の変調スペクトルのみが得られます。通常の光変調器で発生したＳＣＭ変調光を送信する場合には、光ファイバの分散により両側の変調スペクトルの干渉状態に影響して波形劣化を生じさせるが、ＳＳＢ光変調器１８を利用することにより分散による波形劣化を低減できる効果がある。
【００３１】
（第４の実施形態）
第１〜第３の実施形態では、ＯＳＵ１０−１〜１０−ｎとＲＦ搬送波のサブキャリア周波数ｆ1 〜ｆn を１対１に対応させ、よってＯＳＵ１０−１〜１０−ｎとＯＮＵ２０−１〜２０−ｎのＲＦ復調器２３の中心周波数ｆ1 〜ｆn を１対１で対応させていた。
【００３２】
第１〜第３の実施形態において、各ＯＳＵに割り当てるＲＦ搬送波のサブキャリア周波数を複数とし、例えば互いに異なるサブキャリア周波数のＲＦ搬送波に複数のベースバンド送信信号を重畳した複数のＲＦ変調信号を多重し、多重ＲＦ変調信号で波長λ1 〜λn の変調光を生成する。ＯＳＵの送信器の一例を図７に示す。図７では、ベースバンド送信信号ａ，ｂをそれぞれサブキャリア周波数ｆa,ｆb のＲＦ搬送波で変調したＲＦ変調信号を加算器１９で加算し、多重ＲＦ変調信号としている。一方、各ＯＮＵにおいても各ＯＳＵごとに複数のサブキャリア周波数に対応させた中心周波数を有するＲＦ復調器を用いることにより、各ＯＮＵに割り当てる帯域の増大が可能となる。
【００３３】
また、各ＯＮＵに割り当てる複数のＲＦ搬送波のサブキャリア周波数を固定的ではなく、ＯＳＵ（ＯＬＴ）からの制御信号により動的に変更することにより、各ＯＮＵに割り当てる帯域を可変制御することができる。例えば、ＯＮＵの変調方式にＯＦＤＭ（Orthogonal Frequency Division Multiplexing) を利用し、ＯＦＤＭの各周波数成分をＯＳＵとＯＮＵのＲＦ復調器との間で割り当てることにより、帯域割り当てのきめ細かい制御が可能となる。
【図面の簡単な説明】
【００３４】
【図１】ＷＤＭ−ＰＯＮシステムの構成例を示す図。
【図２】カラーレスＯＮＵを用いたＷＤＭ−ＰＯＮシステムの構成例を示す図。
【図３】既存ＰＯＮ（ＧＥ−ＰＯＮ）とＷＤＭ−ＰＯＮが共存するシステム構成例を示す図。
【図４】本発明の光通信システムの第１の実施形態を示す図。
【図５】本発明の光通信システムの第２の実施形態を示す図。
【図６】本発明の光通信システムの第３の実施形態を示す図。
【図７】本発明の光通信システムの第４の実施形態におけるＯＳＵの送信器の一例を示す図。
【符号の説明】
【００３５】
１０  ＯＳＵ（光加入者線終端装置）
１１  波長合分波器
１２  乗算器
１３  フィルタ
１４  増幅器
１５  バイアスＴ回路
１６  半導体レーザ（ＬＤ）
１７  光変調器
１８  ＳＳＢ光変調器
１９  加算器
２０  ＯＮＵ（光ネットワーク終端装置）
２１  受光器
２２  増幅器
２３  ＲＦ復調器
３１，３２  光ファイバ伝送路
３３  波長スプリッタ
３４  パワースプリッタ
４０  ＯＬＴ（光加入者線終端盤）
【図１】
2010114622.tif 000003
【図２】
2010114622.tif 000004
【図３】
2010114622.tif 000005
【図４】
2010114622.tif 000006
【図５】
2010114622.tif 000007
【図６】
2010114622.tif 000008
【図７】
2010114622.tif 000009